(57)【要約】【課題】    マグネットホルダーにおいて、被着面とマグネットの間に被挟持物を挟んで保持するだけでは、被挟持物が風等の外力を受けた際にマグネットホルダーが落下してしまうことがよくある。また、被挟持物の厚みが増えると重さも増す傾向にあるが、同時に被着面とマグネットの距離が離れてしまい、磁気吸着力が低下してしまうという悪循環がある。【解決手段】  略正四面体の４つの頂点にあたる位置にそれぞれ配置されるマグネット（１）から（４）と、前記略正四面体の内側でマグネット（１）から（４）の相対位置を固定するホルダー（１０）を備える。【選択図】         図４
2010143034.tif 000002
【特許請求の範囲】
【請求項１】
所定の鉛直な被着面に磁気吸着されるマグネットホルダーであって、
略正四面体の４つの頂点にあたる位置にそれぞれ配置される第１から第４マグネットと、
前記略正四面体の内側で前記第１から第４マグネットの相対位置を固定するホルダーと、
を備え、
前記第１から第３マグネットが安定して前記被着面に磁気吸着される第１状態と、
前記第１、第２及び第４マグネットが安定して前記被着面に磁気吸着される第２状態と、
前記第１、第３及び第４マグネットが安定して前記被着面に磁気吸着される第３状態と、
前記第２から第４マグネットが安定して前記被着面に磁気吸着される第４状態と、
を有し、
前記第１状態から、前記マグネットホルダーの前記第４マグネットが配置される付近を指先で揺動させることで、前記被着面に前記マグネットホルダーが磁気吸着されたままで前記第２から第４状態のいずれの状態にも移行可能である、マグネットホルダー。
【請求項２】
前記第２状態から、前記マグネットホルダーの前記第３マグネットが配置される付近を指先で揺動させることで、前記被着面に前記マグネットホルダーが磁気吸着されたままで前記第３状態に移行可能である、
請求項１に記載のマグネットホルダー。
【請求項３】
前記第３状態から、前記マグネットホルダーの前記第２マグネットが配置される付近を指先で揺動させることで、前記被着面に前記マグネットホルダーが磁気吸着されたままで前記第４状態に移行可能である、
請求項２に記載のマグネットホルダー。
【請求項４】
前記第４状態から、前記マグネットホルダーの前記第１マグネットが配置される付近を指先で揺動させることで、前記被着面に前記マグネットホルダーが磁気吸着されたままで前記第２状態に移行可能である、
請求項３に記載のマグネットホルダー。
【発明の詳細な説明】
【技術分野】
【０００１】
本発明は、マグネットホルダーに関する。
【背景技術】
【０００２】
マグネットホルダーにおいては、特許文献１の実施例のように鉄板等の磁性材を用いたホワイトボード等の被着面に磁気吸着されるマグネットを備え、被着面とマグネットの間に用紙等の被挟持物を挟んで保持するようなものがよく知られている。
【０００３】
【特許文献１】特開２００６−０９５９２０号公報
【０００４】
また、マグネットホルダーにおいては、特許文献２の実施例のように二面の吸着部それぞれにマグネットを備え、二面の間を支点としてシーソーのように動いて、二面のどちらが被着面に近づいても安定した状態を保つようなアイデアがよく知られている。
【０００５】
【特許文献２】特開２００１−１１３８７０号公報
【０００６】
また、マグネットホルダーにおいては、特許文献３の実施例のように一対の操作部を指で摘んで被着面に対して略平行な方向に力を加えることで被着面からマグネットを離して、マグネットホルダーを被着面から取り外しやすくするアイデアが知られている。
【０００７】
【特許文献３】特許第４０６１８９３号公報
【発明の開示】
【発明が解決しようとする課題】
【０００８】
マグネットホルダーにおいて、特許文献１又は３の実施例のように被着面とマグネットの間に被挟持物を挟んで保持するだけでは、被挟持物が風等の外力を受けた際にマグネットホルダーが落下してしまうことがよくある。また、被挟持物の厚みが増えると重さも増す傾向にあるが、同時に被着面とマグネットの距離が離れてしまい、磁気吸着力が低下してしまうという悪循環がある。
また、特許文献２の実施例のような、揺動操作の中間状態において二面の吸着部がどちらも被着面から離れるようなものでは、操作を誤ってマグネットホルダーを落下させやすくなってしまう。
また、特許文献２の実施例のような、二面の吸着部それぞれにマグネットを備えるシーソータイプのものでは、被挟持物の厚みが増えると挟持している側の吸着部が被着面から離れると同時に挟持していない側の吸着部が被着面に近づいて挟持力を減少させるという更なる悪循環がある。
また、特許文献２の実施例のようなものでは、被着面に磁気吸着された状態が２つしかなく、使用方法の自由度が低い。
【課題を解決するための手段】
【０００９】
本発明の実施形態図等を用いて以下に説明するが、これは本発明の内容をより把握しやすいようにする為で、添付の特許請求の範囲を縮小するものではない。
【００１０】
発明１に係るマグネットホルダーは、例えば図１から４の組み、図５から７の組み、図８から１０の組み、のいずれかの組みのように、
所定の鉛直な被着面１２に磁気吸着されるマグネットホルダー１１であって、
略正四面体の４つの頂点にあたる位置にそれぞれ配置されるマグネット１から４と、
前記略正四面体の内側でマグネット１から４の相対位置を固定するホルダー１０と、
を備え、
マグネット１から３が安定して被着面１２に磁気吸着される例えば図４左図のような第１状態と、
マグネット１、２及び４が安定して被着面１２に磁気吸着される例えば図４右図のような第２状態と、
マグネット１、３及び４が安定して被着面１２に磁気吸着される第３状態と、
マグネット２から４が安定して被着面１２に磁気吸着される第４状態と、
を有し、
前記第１状態から、マグネットホルダー１１のマグネット４が配置される付近を指先で揺動させることで、被着面１２にマグネットホルダー１１が磁気吸着されたままで前記第２から第４状態のいずれの状態にも移行可能である、マグネットホルダーである。
【００１１】
発明２に係るマグネットホルダーは、発明１のマグネットホルダーにおいて、
前記第２状態から、マグネットホルダー１１のマグネット３が配置される付近を指先で揺動させることで、被着面１２にマグネットホルダー１１が磁気吸着されたままで前記第３状態に移行可能である、マグネットホルダーである。
【００１２】
発明３に係るマグネットホルダーは、発明２のマグネットホルダーにおいて、
前記第３状態から、マグネットホルダー１１のマグネット２が配置される付近を指先で揺動させることで、被着面１２にマグネットホルダー１１が磁気吸着されたままで前記第４状態に移行可能である、マグネットホルダーである。
【００１３】
発明４に係るマグネットホルダーは、発明３のマグネットホルダーにおいて、
前記第４状態から、マグネットホルダー１１のマグネット１が配置される付近を指先で揺動させることで、被着面１２にマグネットホルダー１１が磁気吸着されたままで前記第２状態に移行可能である、マグネットホルダーである。
【発明の効果】
【００１４】
以上のように本発明では、揺動操作の中心軸線両端付近に位置して被着面１２との距離が安定することで、静止時及び揺動操作時にマグネットホルダー１１を被着面１２に磁気吸着させるマグネットによって、静止時に風等の外力を受けた場合や揺動操作時に、被挟持物やマグネットホルダー１１が落下しにくいものとなる。
加えて、第２から第４状態において被挟持物を挟持する為のマグネット４が、第１状態において被着面１２から十分離れていることによって、被挟持物を挟持する為のマグネットを邪魔しにくくなる。
加えて、被着面１２に磁気吸着される状態が４つもあるので、使用方法の自由度が高くなる。
加えて、静止時に被着面１２に磁気吸着されるマグネットが３ヵ所に配置されているので、例えば冷蔵庫の扉の湾曲した被着面であっても、ガタつかず安定して磁気吸着されるマグネットホルダー１１の設計が容易となる。
【００１５】
また発明２から４では、本発明の効果に加えて、被着面１２にマグネットホルダー１１が磁気吸着される４つの状態間の移行方法が増えるので、より簡便に使用可能となる。
【発明を実施するための最良の形態】
【００１６】
〔第１実施形態〕
図１から４において、樹脂製の球状の支持部９から放射状に、先端が半球状であり円柱状の脚部５から８が延びている。脚部５から８は、ネオジム磁石等の希土類磁石粉末を混合させた樹脂素材を成形後、軸方向に着磁されたものであり、支持部９に予め開けられた穴に後端が圧入されている。ホルダー１０は支持部９と脚部５から８によって構成され、脚部５から８はそれぞれマグネット１から４を兼ねている。また、正四面体の４つの頂点にあたる位置にそれぞれマグネット１から４、正四面体の中心にあたる位置に支持部９が配置されていることになる。また、マグネット１から４は、正四面体の中心に向かう方向が同極となるように配置されている。
また、図４左図のような鉛直に設置された鉄板製のホワイトボードの被着面１２にマグネット１から３が磁気吸着された第１状態で脚部８を鉛直上向きに揺動操作することによって、図４中央図のようなマグネット１及び２のみが磁気吸着された状態を経て、図４右図のようなマグネット１、２及び４が磁気吸着された第２状態となる。同様な揺動操作によって、第１状態から、第２、第３及び第４状態への移行や、第２状態から、第１、第３及び第４状態への移行や、第３状態から、第１、第２及び第４状態への移行や、第４状態から、第１、第２及び第３状態への移行が可能である。
【００１７】
〔第２実施形態〕
図５から７において、樹脂製の球状の支持部９から放射状に、先端にそれぞれマグネット１から４が埋め込まれた円柱状の脚部５から８が延びるように一体成形されている。マグネット１から４は、円柱状で両端が全周面取りされたネオジム磁石等の希土類磁石であり、軸方向に着磁されている。ホルダー１０は支持部９と脚部５から８によって構成されている。また、正四面体の４つの頂点にあたる位置にそれぞれマグネット１から４、正四面体の中心にあたる位置に支持部９が配置されていることになる。
また、第１実施形態と同様に、第１状態から、第２、第３及び第４状態への移行や、第２状態から、第１、第３及び第４状態への移行や、第３状態から、第１、第２及び第４状態への移行や、第４状態から、第１、第２及び第３状態への移行が可能である。
【００１８】
〔第３実施形態〕
図８から１０において、ネオジム磁石等の希土類磁石粉末を混合させた樹脂素材を成形した球状のマグネット１から４は、マグネット１及び２を結ぶ棒状の連結部２１、マグネット２及び３を結ぶ棒状の連結部２２、マグネット１及び３を結ぶ棒状の連結部２３、マグネット１及び４を結ぶ棒状の連結部２４、マグネット２及び４を結ぶ棒状の連結部２５、及びマグネット３及び４を結ぶ棒状の連結部２６によるホルダー１０によって、正四面体の４つの頂点にあたる位置にそれぞれ配置されている。また、連結部２１から２６は非磁性材で出来ている。また、マグネット１から４は、正四面体の中心に向かう方向が同極となるように予め着磁されている。
また、第１実施形態と同様に球状のマグネット１から４を指先で揺動操作することによって、第１状態から、第２、第３及び第４状態への移行や、第２状態から、第１、第３及び第４状態への移行や、第３状態から、第１、第２及び第４状態への移行や、第４状態から、第１、第２及び第３状態への移行が可能である。
【図面の簡単な説明】
【００１９】
【図１】第１実施形態の正面図
【図２】第１実施形態の右側面図
【図３】第１実施形態の平面図
【図４】第１実施形態の動作を３段階で表した図
【図５】第２実施形態の正面図
【図６】第２実施形態の右側面図
【図７】第２実施形態の平面図
【図８】第３実施形態の正面図
【図９】第３実施形態の右側面図
【図１０】第３実施形態の平面図
【符号の説明】
【００２０】
１,２,３,４.                                          マグネット
５,６,７,８.                                          脚部
９.                                                   支持部
１０.                                               ホルダー
１１.                                               マグネットホルダー
１２.                                               被着面
２１,２２,２３,２４,２５,２６.              連結部
【図１】
2010143034.tif 000003
【図２】
2010143034.tif 000004
【図３】
2010143034.tif 000005
【図４】
2010143034.tif 000006
【図５】
2010143034.tif 000007
【図６】
2010143034.tif 000008
【図７】
2010143034.tif 000009
【図８】
2010143034.tif 000010
【図９】
2010143034.tif 000011
【図１０】
2010143034.tif 000012